(57)【要約】【課題】インターホン機器の汚れ、臭い、雑菌等雑菌等を洗浄し、故障を防止すると共に使用者にとって清潔な環境を供与する。【解決手段】屋外に設置され訪問者により居室呼出を行なう呼出部１及び通話を行なう子機通話部２を有する玄関子機３と、屋内に設置され玄関子機３の呼出に応答して玄関子機３により訪問者と通話を行なう操作部４及び通話を行なう親機通話部５を有する居室親機６とを備えている。光が照射され、雨が降りそそぐ呼出部１を含む玄関子機３の表面部分に、親水性を有する光触媒にバインダーを混合して塗布成膜し、光の照射で光触媒効果により光触媒の塗布皮膜が酸素、水蒸気を活性酸素に変化させて汚れ、臭い、雑菌等の有機化合物を水と二酸化炭素等に分解し、雨水により洗い流すものである。【選択図】図１
2007067490.tif 000002
【特許請求の範囲】
【請求項１】
屋外に設置され訪問者により居室呼出を行なう呼出部及び通話を行なう子機通話部を有する玄関子機と、屋内に設置され前記玄関子機の呼出に応答して前記玄関子機により訪問者と通話を行なう操作部及び通話を行なう親機通話部を有する居室親機とを備え、
光が照射され、雨が降りそそぐ前記呼出部を含む前記玄関子機の表面部分に、親水性を有する光触媒にバインダーを混合して塗布成膜し、光の照射で光触媒効果により前記光触媒の塗布皮膜が水蒸気を活性酸素に変化させて汚れ、臭い、雑菌等の有機化合物を水と二酸化炭素等に分解し、雨水により洗い流すことを特徴とするインターホン装置。
【請求項２】
屋外、エントランスに設置され訪問者により居室呼出を行なう呼出部、通話を行なう子機通話部及び前記訪問者を撮像するカメラを有する子機と、屋内に設置され前記子機の呼出に応答して前記子機により訪問者と通話を行なう操作部、通話を行なう親機通話部及び前記カメラで撮像された前記訪問者の映像を出画するモニタを有する居室親機とを備え、
光が照射され前記子機における前記カメラのカメラカバーの内面部分に、親水性を有する光触媒にバインダーを混合して塗布成膜し、光の照射で光触媒親水効果により前記光触媒の塗布皮膜が水滴を吸着し表面の水滴が一様に広がり、表面をすき間なく覆うことにより前記カメラカバーの内面への結露を防止することを特徴とするインターホン装置。
【請求項３】
屋外、エントランスに設置され訪問者により居室呼出を行なう呼出部及び通話を行なう子機通話部を有する子機と、屋内に設置され前記子機の呼出に応答して前記子機により訪問者と通話を行なう操作部及び通話を行なう親機通話部を有する居室親機とを備え、
光が照射される前記子機及び／又は前記居室親機の表面部分に、抗菌性を有する光触媒にバインダーを混合して塗布成膜し、光の照射で光触媒効果により前記光触媒の塗布皮膜が水蒸気を活性酸素に変化させて汚れ、臭い、雑菌等の有機化合物を水と二酸化炭素等に分解し汚れ、臭い、雑菌等を除去することを特徴とするインターホン装置。
【請求項４】
病室内に設置され被看護者によりナースコール呼出を行なう呼出部及び通話を行なう子機通話部を有するナースコール子機と、ナースステーションに設置され前記ナースコール子機の呼出に応答して前記ナースコール子機により被看護者と通話を行なう操作部及び通話を行なう親機通話部を有するナースコール親機とを備え、
光が照射される前記ナースコール子機及び／又は前記ナースコール親機の表面部分に、抗菌性を有する光触媒にバインダーを混合して塗布成膜し、光の照射で光触媒効果により前記光触媒の塗布皮膜が水蒸気を活性酸素に変化させて汚れ、臭い、雑菌等の有機化合物を水と二酸化炭素等に分解し汚れ、臭い、雑菌等を除去することを特徴とするインターホン装置。
【請求項５】
屋外、エントランスに設置され訪問者により居室呼出を行なう呼出部及び通話を行なう子機通話部を有する子機と、屋内に設置され前記子機の呼出に応答して前記子機により訪問者と通話を行なう操作部及び通話を行なう親機通話部を有する居室親機とを備え、
前記居室親機は、内部に、抗菌性を有する光触媒にバインダーを混合して塗布成膜した介在部分と、前記介在部分に対して光を取り込み若しくは導入して光を照射する光照射部と、前記居室親機内部に吸気する吸気部及び吸気された空気が前記介在部分を経由して前記居室親機内部から排気する排気部とを設けることにより光の照射で光触媒効果により前記光触媒の塗布成膜した前記介在部分が水蒸気を活性酸素に変化させて汚れ、臭い、雑菌等の有機化合物を水と二酸化炭素等に分解して前記居室親機外部に蒸発、排気され居室内の空気を浄化することを特徴とするインターホン装置。
【請求項６】
前記居室親機は、前記介在部分に光を照射させるための発光部を備えることを特徴とする請求項５記載のインターホン装置。
【請求項７】
前記居室親機は、内部に空気を吸気、排気するためのファンを備えることを特徴とする請求項５又は請求項６記載のインターホン装置。
【請求項８】
前記吸気部は前記居室親機の底面に、前記排気部は前記居室親機の上面に備えることを特徴とする請求項５乃至請求項７何れか１項記載のインターホン装置。
【発明の詳細な説明】
【技術分野】
【０００１】
本発明はインターホン装置に係り、特に光触媒を用いることによりインターホン機器の汚れ、雑菌等の洗浄、除去、抗菌、防黴、脱臭、居室内の空気の浄化、カメラカバー内面結露防止を図り、インターホン機器の故障を防止すると共に使用者にとって清潔な環境を供与するインターホン装置に関する。
【背景技術】
【０００２】
従来から、光触媒を施すことにより洗浄、空気清浄、脱臭、抗菌等の効果をもたせた照明器具、ディスプレイ、扇風機、オーブン、エアコン等の電気機器が知れている（例えば、特許文献１〜特許文献２１参照）。
【０００３】
ところで、インターホン装置はその使用にあたり、ユーザーはインターホン装置に接触し或いはその設置空間に居存するものであることから、インターホン装置自体についてエコロジー環境を常に良好にすることが要望されている。
【０００４】
【特許文献１】特開平８−１７３５１２号公報
【特許文献２】特開平９−１４０７８２号公報
【特許文献３】特開平９−１６１５３７号公報
【特許文献４】特開平９−２９９７５４号公報
【特許文献５】特開平１０−２４１４５５号公報
【特許文献６】特開平１１−１４０７２号公報
【特許文献７】特開平１１−３３９５２１号公報
【特許文献８】特開２０００−３５９８０号公報
【特許文献９】特開２０００−２２８１１２号公報
【特許文献１０】特開２０００−２７９７６２号公報
【特許文献１１】特開２００１−３５２４６号公報
【特許文献１２】特開２００１−１２９０６４号公報
【特許文献１３】特開２００１−１３７６３３号公報
【特許文献１４】特開２００２−１５０８３３号公報
【特許文献１５】特開２００３−２０８１１６号公報
【特許文献１６】特開２００４−２１９９６９号公報
【特許文献１７】特開２００４−２４２９７１号公報
【特許文献１８】特開２００４−２８６４１８号公報
【特許文献１９】特開２００４−２８８５６３号公報
【特許文献２０】特許３５４３６７３号公報
【特許文献２１】実用新案登録３０９６６５８号公報
【発明の開示】
【発明が解決しようとする課題】
【０００５】
しかしながら、従来のインターホン装置では、屋外、エントランスに設置される子機、屋内に設置される居室親機に汚れ、臭い、雑菌等が付いて露してしまう虞があった。また、ナースコール機器においては、定期的に抗菌処理をする必要があった。さらに、インターホン装置においては、屋外に設置される子機のカメラカバーに水滴がたまった場合、機器内の温度等により、結露して訪問者の撮像ができなくなる虞があった。
【０００６】
本発明は、上述の難点を解消するためになされたもので、光触媒を用いることによりインターホン機器の汚れ、雑菌等の洗浄、除去、抗菌、防黴、脱臭、居室内の空気の浄化、カメラカバー内面結露防止を図り、インターホン機器の故障を防止すると共に使用者にとって清潔な環境を供与するインターホン装置を提供することを目的としている。
【課題を解決するための手段】
【０００７】
この目的を達成するために、本発明のインターホン装置は、第１の形態例において、屋外に設置され訪問者により居室呼出を行なう呼出部及び通話を行なう子機通話部を有する玄関子機と、屋内に設置され玄関子機の呼出に応答して玄関子機により訪問者と通話を行なう操作部及び通話を行なう親機通話部を有する居室親機とを備え、光が照射され、雨が降りそそぐ呼出部を含む玄関子機の表面部分に、親水性を有する光触媒にバインダーを混合して塗布成膜し、光の照射で光触媒効果により光触媒の塗布皮膜が水蒸気を活性酸素に変化させて汚れ、臭い、雑菌等の有機化合物を水と二酸化炭素等に分解し、雨水により洗い流すものである。
【０００８】
本発明のインターホン装置は、第２の形態例において、屋外、エントランスに設置され訪問者により居室呼出を行なう呼出部、通話を行なう子機通話部及び訪問者を撮像するカメラを有する子機と、屋内に設置され子機の呼出に応答して子機により訪問者と通話を行なう操作部、通話を行なう親機通話部及びカメラで撮像された訪問者の映像を出画するモニタを有する居室親機とを備え、光が照射され子機におけるカメラのカメラカバーの内面部分に、親水性を有する光触媒にバインダーを混合して塗布成膜し、光の照射で光触媒親水効果により光触媒の塗布皮膜が水滴を吸着し表面の水滴が一様に広がり、表面をすき間なく覆うことによりカメラカバーの内面への結露、滞留を防止するものである。
【０００９】
本発明のインターホン装置は、第３の形態例において、屋外、エントランスに設置され訪問者により居室呼出を行なう呼出部及び通話を行なう子機通話部を有する子機と、屋内に設置され子機の呼出に応答して子機により訪問者と通話を行なう操作部及び通話を行なう親機通話部を有する居室親機とを備え、光が照射される子機及び／又は居室親機の表面部分に、抗菌性を有する光触媒にバインダーを混合して塗布成膜し、光の照射で光触媒効果により光触媒の塗布皮膜が水蒸気を活性酸素に変化させて汚れ、臭い、雑菌等の有機化合物を水と二酸化炭素等に分解し汚れ、臭い、雑菌、黴等を除去するものである。
【００１０】
本発明のインターホン装置は、第４の形態例において、病室内に設置され被看護者によりナースコール呼出を行なう呼出部及び通話を行なう子機通話部を有するナースコール子機と、ナースステーションに設置されナースコール子機の呼出に応答してナースコール子機により被看護者と通話を行なう操作部及び通話を行なう親機通話部を有するナースコール親機とを備え、光が照射されるナースコール子機及び／又はナースコール親機の表面部分に、抗菌性を有する光触媒にバインダーを混合して塗布成膜し、光の照射で光触媒効果により光触媒の塗布皮膜が水蒸気を活性酸素に変化させて汚れ、臭い、雑菌等の有機化合物を水と二酸化炭素等に分解し汚れ、臭い、雑菌、黴等を除去するものである。
【００１１】
本発明のインターホン装置は、第５の形態例において、屋外、エントランスに設置され訪問者により居室呼出を行なう呼出部及び通話を行なう子機通話部を有する子機と、屋内に設置され子機の呼出に応答して子機により訪問者と通話を行なう操作部及び通話を行なう親機通話部を有する居室親機とを備え、居室親機は、内部に、抗菌性を有する光触媒にバインダーを混合して塗布成膜した介在部分と、介在部分に対して光を取り込み若しくは導入して光を照射する光照射部と、居室親機内部に吸気する吸気部及び吸気された空気が介在部分を経由して居室親機内部から排気する排気部とを設けることにより光の照射で光触媒効果により光触媒の塗布成膜した介在部分が水蒸気を活性酸素に変化させて汚れ、臭い、雑菌、黴等の有機化合物を水と二酸化炭素等に分解して居室親機外部に蒸発、排気され居室内の空気を浄化するものである。
【００１２】
第６の形態例において、第５の形態例の居室親機は、介在部分に光を照射させるための発光部を備えている。
【００１３】
第７の形態例において、第５又は第６の形態例の居室親機は、内部に空気を吸気、排気するためのファンを備えている。
【００１４】
第８の形態例において、第５乃至第７の形態例の何れかの吸気部は居室親機の底面に、排気部は居室親機の上面に備えている。
【発明の効果】
【００１５】
第１の形態例によれば、インターホン装置の玄関子機表面に汚れ、臭い、雑菌等が付着しにくくすることが可能となる。
【００１６】
第２の形態例によれば、インターホン装置の玄関子機内部で水滴が滞留することがないので結露することを防止でき、特にインターホン装置の玄関子機にカメラがある場合には曇止めとしても効果を発揮する。
【００１７】
第３の形態例によれば、インターホン装置の子機及び／又は居室親機表面に汚れ、臭い、雑菌等が付着しにくくすることが可能となる。
【００１８】
第４の形態例によれば、ナースコール子機及び／又はナースコール親機において抗菌性、防黴を保つことができるので被看護者にとって清潔な環境を常に良好にすることができる。
【００１９】
第５の形態例によれば、常時電源投入されているインターホン装置を利用して、居室内において空気を浄化させることができるので使用者にとって清潔な環境を常に良好にすることができる。
【００２０】
第６の形態例によれば、発光部を居室親機内部に備えるので、受光部を別途設ける必要がなくなる。
【００２１】
第７の形態例によれば、居室内においてより空気の循環を良くすることができる。
【００２２】
第８の形態例によれば、居室親機内で浄化された空気は居室親機内部で温められ軽くなるので排気しやすくなる。
【発明を実施するための最良の形態】
【００２３】
以下、本発明のインターホン装置を最良の形態の実施例について図面を参照して説明する。
【００２４】
＜第１の形態例＞
本発明のインターホン装置は、戸建用インターホンとして、図１に示すように屋外に設置され訪問者により居室呼出を行なう呼出部１及び通話を行なう子機通話部（マイク、スピーカ）２を有する玄関子機３と、屋内に設置され玄関子機３の呼出に応答して玄関子機３により訪問者と通話を行なう操作部（トークスイッチ、留守録音・録画ボタン、電気錠解錠ボタン、映像モニタボタン）４及び通話を行なう親機通話部（マイク、スピーカ）５を有する居室親機６（図３（Ａ））とを備えている。
【００２５】
図１、図２に示すように玄関子機３には訪問者を撮像する固体カメラ７が設けられ、居室親機６には撮像された画像を出画する液晶モニタ８が設けられている。固体カメラ７の前部には半透明のカメラカバー９が設けられている。
【００２６】
このインターホン装置において、光が照射され、雨が降りそそぐ呼出部１を含む玄関子機３の表面部分に、親水性を有する光触媒にバインダーを混合して塗布成膜し、光の照射で光触媒効果により光触媒の塗布皮膜が水蒸気を活性酸素に変化させて汚れ、臭い、雑菌等の有機化合物を水と二酸化炭素等に分解し、雨水により洗い流すものである。
【００２７】
ここで、親水性を有する光触媒としては、二酸化チタン等が使用される。バインダーとしては、二酸化ケイ素等が使用される。なお、光触媒にバインダーを混合してインターホン機器表面に塗布成膜する前に、光触媒がインターホン装置外面の樹脂等を侵すのを防ぐためにアンダーコート処理が施されることが好ましい。
【００２８】
玄関子機３は屋外に設置されるため、埃や雨により玄関子機表面が汚れてしまうが、この形態例によれば、光触媒が太陽光や街灯等の光により表面に付着した物質を酸化分解するように化学反応を促進し、当該汚れを落としやすくする。なお、この場合、光触媒に照射する光は、玄関子機３表面に設けた受光部（図示せず）で外部の光を取り入れるか若しくは玄関子機３内部に設けた発光部（図示せず）の光を受光することにより化学反応を促進させるものである。また、カメラカバー９から受光したものでもよい。さらに、発光部として玄関子機３の通電表示灯やカメラ駆動時に動作する被写体照射灯と兼用させるとなおよい。
【００２９】
＜第２の形態例＞
本発明のインターホン装置は、集合住宅用インターホンとして、図４に示すようにエントランスに設置され訪問者により居室呼出を行なう呼出部１０、通話を行なう子機通話部１１及び訪問者を撮像する固体カメラ１２を有する子機１３と、屋内に設置され子機１３の呼出に応答して子機１３により訪問者と通話を行なう操作部（トークスイッチ、留守録音・録画ボタン、電気錠解錠ボタン）１４、通話を行なう親機通話部（ハンドセット、マイク、スピーカ）１５及び固体カメラ１２で撮像された訪問者の映像を出画する液晶モニタ１６を有する居室親機１７（図３（Ａ））とを備えている。子機１３、居室親機１７、管理室親機１８は制御装置１９に接続され、子機１３、居室親機１７、管理室親機１８間の呼出、通話等は制御装置１９により制御される。
【００３０】
図５に示すように玄関子機１３における固体カメラ１２の前部には半透明のカメラカバー２０が設けられている。
【００３１】
図１−図２又は図４−図５に示すインターホン装置において、光が照射され子機３、１３におけるカメラ７、１２のカメラカバー９、２０の内面部分９a、２１に、親水性を有する光触媒にバインダーを混合して塗布成膜し、光の照射で光触媒親水効果により光触媒の塗布皮膜が水滴を吸着し表面の水滴が一様に広がり、表面をすき間なく覆うことによりカメラカバー９、２０の内面部分９a、２１への結露、滞留を防止するものである。
【００３２】
この形態例によれば、玄関子機３、１３のカメラカバー内部に光触媒を塗布すると、水滴が光触媒の親水性能によってカメラカバーで結露することがなくなる。なお、この場合、光触媒に照射する光は、玄関子機３、１３表面に設けた受光部（図示せず）で外部の光を取り入れるか若しくは玄関子機３、１３内部に設けた発光部（図示せず）の光を受光することにより化学反応を促進させるものである。また、カメラカバー９、２０から受光したものでもよい。さらに、発光部として玄関子機３、１３の通電表示灯（図示せず）やカメラ駆動時に動作する被写体照射灯（図示せず）と兼用させるとなおよい。
【００３３】
＜第３の形態例＞
図１又は図４に示すインターホン装置において、光が照射される子機３、１３及び／又は居室親機６、１７の表面部分に、抗菌性を有する光触媒にバインダーを混合して塗布成膜し、光の照射で光触媒効果により光触媒の塗布皮膜が水蒸気を活性酸素に変化させて汚れ、臭い、雑菌等の有機化合物を水と二酸化炭素等に分解し汚れ、臭い、雑菌、黴等を除去するものである。
【００３４】
ここで、抗菌性を有する光触媒としては、二酸化チタン等が使用される。バインダーとしては、二酸化ケイ素等が使用される。なお、光触媒にバインダーを混合してインターホン機器表面に塗布成膜する前に、光触媒がインターホン装置外面の樹脂等を侵すのを防ぐためにアンダーコート処理が施されることが好ましい。
【００３５】
玄関子機３、１３、居室親機６、１７は埃等により表面が汚れてしまうが、この形態例によれば、光触媒が光により表面に付着した物質を酸化分解するように化学反応を促進し、当該汚れを落としやすくする。
【００３６】
＜第４の形態例＞
本発明のインターホン装置は、ボード型ナースコールインターホンとして、図６に示すように病室内に設置され被看護者によりナースコール呼出を行なう呼出部３０及び通話を行なう子機通話部３１を有するナースコール子機３２と、ナースステーションに設置されナースコール子機３２の呼出に応答してナースコール子機３２により被看護者と通話を行なう操作部３３及び通話を行なう親機通話部３４を有するナースコール親機３５とを備え、又はＰＣ型ナースコールインターホンとして、図７に示すように病室内に設置され被看護者によりナースコール呼出を行なう呼出部４０及び通話を行なう子機通話部４１を有するナースコール子機４２と、ナースステーションに設置されナースコール子機４２の呼出に応答してナースコール子機４２により被看護者と通話を行なう操作部４３及び通話を行なう親機通話部４４を有するナースコール親機４５とを備えている。
【００３７】
ナースコール子機３２、４２は廊下灯３６を介して制御機３７に接続され、ナースコール親機３５、４５は制御機３７に接続され、制御機３７によりナースコール子機３２、４２、ナースコール親機３５、４５の呼出、通話が制御される。ナースコール親機３５、４５にはナースコール子機３２、４２との通信、被看護者の看護情報を示す液晶モニタ３８、４８がそれぞれ設けられている。なお、ナースコール子機３２、４２において、呼出部３０、４０は呼出握りボタン５０によって構成することができる。
【００３８】
図６−図７に示すに示すナースコールインターホン装置において、光が照射されるナースコール子機３２、４２及び／又はナースコール親機３５、４５の表面部分に、抗菌性を有する光触媒にバインダーを混合して塗布成膜し、光の照射で光触媒効果により光触媒の塗布皮膜が水蒸気を活性酸素に変化させて汚れ、臭い、雑菌等の有機化合物を水と二酸化炭素等に分解し汚れ、臭い、雑菌、黴等を除去するものである。
【００３９】
この形態例によれば、ナースコールインターホン装置は、被看護者や看護人が操作することにより菌が付着するが、光触媒が太陽光や街灯等の光により表面に付着した物質を酸化分解するように化学反応を促進するので抗菌効果を得ることができる。これにより、定期的に抗菌を施す必要がなくなる。
【００４０】
＜第５の形態例＞
図１、図４に示すインターホン装置において、居室親機６、１７には、内部に、抗菌性を有する光触媒にバインダーを混合して塗布成膜した介在部分６０と、介在部分６０に対して太陽光や蛍光灯などの光を取り込み若しくは導入して光を照射する受光部６４と、居室親機６、１７内部に吸気する吸気部６２及び吸気された空気が介在部分６０を経由して居室親機６、１７内部から排気する排気部６３とが設けられている（図３（Ｄ））。
【００４１】
このインターホン装置において、光の照射で光触媒効果により光触媒の塗布成膜した介在部分６０が水蒸気を活性酸素に変化させて汚れ、臭い、雑菌、黴等の有機化合物を水と二酸化炭素等に分解して居室親機６、１７外部に蒸発、排気され居室内の空気を浄化するものである。
【００４２】
この場合、空気は居室親機６、１７内部を通ることにより温められ、これによって排気部６３から自然に排気させることが可能となる。ここで、吸気部６２より入ってきた空気は、光触媒介在部分６０を経由し、このとき受光部６４から取り入れた光により上述同様、化学反応が促進され、空気が浄化される。
【００４３】
＜第６〜第８の形態例＞
第６の形態例において、第５の形態例の居室親機６、１７は、介在部分６０に光を照射させるための発光部６１（図３（Ｄ））を備えている。
【００４４】
この形態例によれば、発光部６１を居室親機６、１７内部に備えるので、受光部６４を別途設ける必要がなくなる。
【００４５】
第７の形態例において、第５又は第６の形態例の居室親機６、１７は、内部に空気を吸気、排気するためのファン６５（図３（Ｄ））を備えている。
【００４６】
この形態例によれば、居室内において空気の循環をより良くすることができる。
【００４７】
第８の形態例において、第５乃至第７の形態例の何れかの吸気部６２は居室親機６、１７の底面に、排気部６３は居室親機６、１７の上面に備えられている（図１、図３（Ｂ）−（Ｃ）、図４）。
【００４８】
この形態例によれば、居室親機６、１７内で浄化された空気は居室親機６、１７内部で温められ軽くなるので排気しやすくなる。
【図面の簡単な説明】
【００４９】
【図１】本発明による戸建用インターホン装置の説明図である。
【図２】図１に示す戸建用インターホン装置におけるカメラ部の中央縦断面図である。
【図３】（Ａ）は本発明による戸建用インターホン装置で用いられる居室親機又は集合住宅用インターホン装置で用いられる居室親機の一部の正面図、（Ｂ）は同上面図、（Ｃ）は同底面図、（Ｄ）は同中央縦断面図である。
【図４】本発明による集合住宅用インターホン装置の説明図である。
【図５】図４に示す集合住宅用インターホン装置におけるカメラ部の中央縦断面図である。
【図６】本発明によるボード型ナースコールインターホン装置の説明図である。
【図７】本発明によるＰＣ型ナースコールインターホン装置の説明図である。
【図８】本発明によるナースコールインターホン装置で用いられる呼出握りボタンの説明図である。
【符号の説明】
【００５０】
１・・・呼出部
２・・・子機通話部
３・・・玄関子機
４・・・操作部
５・・・親機通話部
６・・・居室親機
７・・・カメラ
８・・・液晶モニタ
９・・・カメラカバー
９a・・・内面部分
１０・・・呼出部
１１・・・子機通話部
１２・・・カメラ
１３・・・子機
１４・・・操作部
１５・・・親機通話部
１６・・・モニタ
１７・・・居室親機
１８・・・管理室親機
１９・・・制御装置
２０・・・カメラカバー
２１・・・内面部分
３０・・・呼出部
３１・・・子機通話部
３２・・・ナースコール子機
３３・・・操作部
３４・・・親機通話部
３５・・・ナースコール親機
３６・・・廊下灯
３７・・・制御機
３８・・・モニタ
４０・・・呼出部
４１・・・子機通話部
４２・・・ナースコール子機
４３・・・操作部
４４・・・親機通話部
４５・・・ナースコール親機
４８・・・モニタ
５０・・・呼出握りボタン
６０・・・介在部分
６１・・・発光部
６２・・・吸気部
６３・・・排気部
６４・・・受光部
６５・・・ファン
【図１】
2007067490.tif 000003
【図２】
2007067490.tif 000004
【図３】
2007067490.tif 000005
【図４】
2007067490.tif 000006
【図５】
2007067490.tif 000007
【図６】
2007067490.tif 000008
【図７】
2007067490.tif 000009
【図８】
2007067490.tif 000010